【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
静電潜像保持体と、
前記静電潜像保持体の表面を帯電する帯電装置と、
入力された画像信号に応じて、前記静電潜像保持体の表面に静電潜像を形成するため情報信号を演算する画像信号演算装置と、
前記情報信号に応じて前記静電潜像保持体の表面に静電潜像を形成する潜像形成装置と、
熱可塑性エラストマーおよび着色剤を少なくとも含有する画像形成用トナーがキャリア液中に分散された画像形成用液体現像剤を貯留し且つ前記静電潜像保持体の表面に形成された静電潜像を前記画像形成用液体現像剤により現像して画像形成用トナー像を形成する画像形成用トナー現像装置と、
前記画像信号演算装置に入力された前記画像信号から、前記画像形成用トナー現像装置によって前記静電潜像保持体の表面に現像される前記画像形成用トナーの単位面積あたりの載り量を算出する画像形成用トナー単位面積載り量算出装置と、
熱可塑性エラストマーを少なくとも含有する載り量調整用トナーがキャリア液中に分散された載り量調整用液体現像剤を貯留し、且つ前記画像形成用トナーの単位面積あたりの載り量が第一のトナー量以下となる領域に対し、該領域における前記画像形成用トナーと前記載り量調整用トナーとの総載り量が前記第一のトナー量を超えるよう、前記載り量調整用液体現像剤により現像して載り量調整用トナー像を形成する載り量調整用トナー現像装置と、
前記静電潜像保持体の表面に形成された前記画像形成用トナー像および前記載り量調整用トナー像を記録媒体に転写する転写装置と、
前記記録媒体上の前記画像形成用トナー像および前記載り量調整用トナー像を定着する定着装置と、
を有する画像形成装置。
【請求項２】
前記載り量調整用トナーの着色剤の含有量は、前記画像形成用トナーにおける着色剤の含有量の１０質量％以下である請求項１に記載の画像形成装置。
【請求項３】
前記載り量調整用トナー現像装置は、前記画像形成用トナーの単位面積あたりの載り量が、前記第一のトナー量よりも少ない第二のトナー量以下となる領域に対しては、前記載り量調整用トナー像を形成しない請求項１または請求項２に記載の画像形成装置。
【請求項４】
静電潜像保持体の表面を帯電する帯電工程と、
入力された画像信号に応じて、前記静電潜像保持体の表面に静電潜像を形成するため情報信号を演算する画像信号演算工程と、
前記情報信号に応じて前記静電潜像保持体の表面に静電潜像を形成する潜像形成工程と、
前記静電潜像保持体の表面に形成された静電潜像を、熱可塑性エラストマーおよび着色剤を少なくとも含有する画像形成用トナーがキャリア液中に分散された画像形成用液体現像剤により現像して画像形成用トナー像を形成する画像形成用トナー現像工程と、
前記画像信号演算工程で入力された前記画像信号から、前記画像形成用トナー現像工程にて前記静電潜像保持体の表面に現像される前記画像形成用トナーの単位面積あたりの載り量を算出する画像形成用トナー単位面積載り量算出工程と、
前記画像形成用トナーの単位面積あたりの載り量が第一のトナー量以下となる領域を、熱可塑性エラストマーを少なくとも含有する載り量調整用トナーがキャリア液中に分散された載り量調整用液体現像剤により現像して、前記領域における前記画像形成用トナーと前記載り量調整用トナーとの総載り量が前記第一のトナー量を超えるよう、載り量調整用トナー像を形成する載り量調整用トナー現像工程と、
前記静電潜像保持体の表面に形成された前記画像形成用トナー像および前記載り量調整用トナー像を記録媒体に転写する転写工程と、
前記記録媒体上の前記画像形成用トナー像および前記載り量調整用トナー像を定着する定着工程と、
を有する画像形成方法。
【請求項５】
前記載り量調整用トナーの着色剤の含有量は、前記画像形成用トナーにおける着色剤の含有量の１０質量％以下である請求項４に記載の画像形成方法。
【請求項６】
前記載り量調整用トナー現像工程は、前記画像形成用トナーの単位面積あたりの載り量が、前記第一のトナー量よりも少ない第二のトナー量以下となる領域に対しては、前記載り量調整用トナー像を形成しない請求項４または請求項５に記載の画像形成方法。
【手続補正２】
【補正対象書類名】明細書
【補正対象項目名】００１２
【補正方法】変更
【補正の内容】
【００１２】
請求項４に係る発明は、
静電潜像保持体の表面を帯電する帯電工程と、
入力された画像信号に応じて、前記静電潜像保持体の表面に静電潜像を形成するため情報信号を演算する画像信号演算工程と、
前記情報信号に応じて前記静電潜像保持体の表面に静電潜像を形成する潜像形成工程と、
前記静電潜像保持体の表面に形成された静電潜像を、熱可塑性エラストマーおよび着色剤を少なくとも含有する画像形成用トナーがキャリア液中に分散された画像形成用液体現像剤により現像して画像形成用トナー像を形成する画像形成用トナー現像工程と、
前記画像信号演算工程で入力された前記画像信号から、前記画像形成用トナー現像工程にて前記静電潜像保持体の表面に現像される前記画像形成用トナーの単位面積あたりの載り量を算出する画像形成用トナー単位面積載り量算出工程と、
前記画像形成用トナーの単位面積あたりの載り量が第一のトナー量以下となる領域を、熱可塑性エラストマーを少なくとも含有する載り量調整用トナーがキャリア液中に分散された載り量調整用液体現像剤により現像して、前記領域における前記画像形成用トナーと前記載り量調整用トナーとの総載り量が前記第一のトナー量を超えるよう、載り量調整用トナー像を形成する載り量調整用トナー現像工程と、
前記静電潜像保持体の表面に形成された前記画像形成用トナー像および前記載り量調整用トナー像を記録媒体に転写する転写工程と、
前記記録媒体上の前記画像形成用トナー像および前記載り量調整用トナー像を定着する定着工程と、
を有する画像形成方法である。
【手続補正３】
【補正対象書類名】明細書
【補正対象項目名】００２２
【補正方法】変更
【補正の内容】
【００２２】
また本実施形態に係る画像形成方法は、静電潜像保持体の表面を帯電する帯電工程と、入力された画像信号に応じて、前記静電潜像保持体の表面に静電潜像を形成するため情報信号を演算する画像信号演算工程と、前記情報信号に応じて前記静電潜像保持体の表面に静電潜像を形成する潜像形成工程と、前記静電潜像保持体の表面に形成された静電潜像を、熱可塑性エラストマーおよび着色剤を少なくとも含有する画像形成用トナーがキャリア液中に分散された画像形成用液体現像剤により現像して画像形成用トナー像を形成する画像形成用トナー現像工程と、前記画像信号演算工程で入力された前記画像信号から、前記画像形成用トナー現像工程にて前記静電潜像保持体の表面に現像される前記画像形成用トナーの単位面積あたりの載り量を算出する画像形成用トナー単位面積載り量算出工程と、前記画像形成用トナーの単位面積あたりの載り量が第一のトナー量以下となる領域を、熱可塑性エラストマーを少なくとも含有する載り量調整用トナーがキャリア液中に分散された載り量調整用液体現像剤により現像して、前記領域における前記画像形成用トナーと前記載り量調整用トナーとの総載り量が前記第一のトナー量を超えるよう、載り量調整用トナー像を形成する載り量調整用トナー現像工程と、前記静電潜像保持体の表面に形成された前記画像形成用トナー像および前記載り量調整用トナー像を記録媒体に転写する転写工程と、前記記録媒体上の前記画像形成用トナー像および前記載り量調整用トナー像を定着する定着工程と、を有する。